【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
近位端と遠位端とを有する細長い本体と、
前記細長い本体の前記遠位端に配置された膨張可能な先端と、
第１の切断部と第２の切断部とを有する切断ユニットであって、前記第１の切断部と前記第２の切断部は、前記第１の切断部と前記第２の切断部との間の血管を捕らえるように前記細長い本体の長手方向に移動可能であり、捕らえられた血管を切断するように前記先端の周囲を互いに回転可能である、切断ユニットと、を含む、手術装置。
【請求項２】
前記膨張可能な先端は、１つ以上の内腔と連通する内部空洞を有し、手術装置によって行われる採取手術の内視鏡観察のために内視鏡が進められる、請求項１に記載の装置。
【請求項３】
前記膨張可能な先端は、十分に膨張したときに硬い円錐形状を有し、内視鏡による観察を妨げないように光学的に透明であり、切開部を通るときに円錐形状を維持するのに十分な材料を含む、請求項１または２に記載の装置。
【請求項４】
前記膨張可能な先端が膨張していないとき、前記膨張可能な先端の壁が、前記内視鏡の視野を歪ませることなく、前記内視鏡の上に緊張した襞が寄っている、請求項３に記載の装置。
【請求項５】
前記第１の切断部と前記第２の切断部は、前記先端の実質的に近位側の後退位置から前記先端上の延在位置まで移動する、請求項３に記載の装置。
【請求項６】
近位端と遠位端とを有する細長い本体と、
前記細長い本体の前記遠位端に配置された調整された先端と、
第１の切断部と第２の切断部とを有する切断ユニットであって、前記第１の切断部と前記第２の切断部は、前記第１の切断部と前記第２の切断部との間の血管を捕らえるように前記細長い本体の長手方向に移動可能であり、捕らえられた血管を切断するように前記先端の周囲を互いに回転可能である、切断ユニットと、を含む、手術装置。
【請求項７】
前記調整された先端は、光学的透明性が向上した少なくとも１つの調整された表面をさらに含む、請求項６に記載の装置。
【請求項８】
前記調整された表面は、機械的研磨技術または化学的研磨技術によって調節される、請求項６または７に記載の装置。
【請求項９】
前記機械的研磨技術は、バフ研磨を含む、請求項８に記載の装置。
【請求項１０】
前記化学的研磨技術は、蒸気研磨を含む、請求項８に記載の装置。
【請求項１１】
前記第１の切断部と前記第２の切断部は、前記先端の実質的に近位側の後退位置から前記先端上の延在位置まで移動する、請求項６に記載の装置。
【請求項１２】
近位端と遠位端とを有する細長い本体と、
前記細長い本体の前記遠位端に配置された被覆された先端と、
第１の切断部と第２の切断部とを有する切断ユニットであって、前記第１の切断部と前記第２の切断部は、前記第１の切断部と前記第２の切断部との間の血管を捕らえるように前記細長い本体の長手方向に移動可能であり、捕らえられた血管を切断するように前記先端の周囲を互いに回転可能である、切断ユニットと、を含む、手術装置。
【請求項１３】
前記被覆された先端は、前記被覆された先端の表面上にコーティングをさらに含み、前記コーティングは、前記被覆された先端の表面張力及び潤滑性を増加させる、請求項１２に記載の装置。
【請求項１４】
前記コーティングは、パラレン、ポリテトラフルオロエチレン、フッ素化エチレンプロピレン、ケイ素または繋留液体パーフルオロカーボンの１つから選択される、請求項１３に記載の装置。
【請求項１５】
前記被覆された先端は膨張可能な先端をさらに含み、前記膨張可能な先端は、１つ以上の内腔と連通する内部空洞を有し、手術装置によって行われる採取手術の内視鏡観察のために内視鏡が進められる、請求項１２に記載の装置。
【請求項１６】
前記被覆された先端は調整された先端をさらに含み、前記調整された先端は、光学的透明性が向上した少なくとも１つの調整された表面を含む、請求項１２に記載の装置。
【請求項１７】
近位端と遠位端とを有する細長い本体と、
前記細長い本体の前記遠位端に配置された膨張可能な先端であって、十分に膨張したときに円錐形状を有する膨張可能な先端と、
第１の切断部と第２の切断部とを有する切断ユニットであって、前記第１の切断部と前記第２の切断部は、前記第１の切断部と前記第２の切断部との間の血管を捕らえるように、前記先端の本質的に近位側の後退位置から前記先端上の延在位置まで前記細長い本体の長手方向に移動可能であり、捕らえられた血管を切断するように前記先端の周囲を互いに回転可能である、切断ユニットと、を含む、手術装置。
【請求項１８】
前記膨張可能な先端は、１つ以上の内腔と連通する内部空洞を有し、手術装置によって行われる採取手術の内視鏡観察のために内視鏡が進められる、請求項１７に記載の装置。
【請求項１９】
前記膨張可能な先端は、十分に膨張したときに硬い円錐形状を有し、内視鏡による観察を妨げないように光学的に透明であり、切開部を通るときに円錐形状を維持するのに十分な材料を含む、請求項１７または１８に記載の装置。
【請求項２０】
前記膨張可能な先端が膨張していないとき、前記膨張可能な先端の壁が、前記内視鏡の視野を歪ませることなく、前記内視鏡の上に緊張した襞が寄っている、請求項１９に記載の装置。
【手続補正２】
【補正対象書類名】明細書
【補正対象項目名】００５４
【補正方法】変更
【補正の内容】
【００５４】
全ての特許、特許出願及び公開された引用文献は、それらの全体を参照することによって組み込まれる。本開示の上述した実施形態は単に実施が可能な例であり、単に開示の原理の明確な理解のための説明であることは強調しておく。多くのバリエーション及び変更が、開示の精神及び原理から実質的に逸脱することなしに、上述した実施形態に対してなされてもよい。上記開示のいくつか、他の特徴及び機能又はそれらの代わりを、所望のとおりに組み合わせて、多くの他の異なったシステム又はアプリケーションにすることができると理解されるだろう。本明細書において、全てのそのような変更及びバリエーションは、添付したクレームの範囲内にある本開示の範囲内に含まれることが意図されている。
本明細書の開示内容は、以下の態様を含み得る。
（態様１）
近位端と遠位端とを有する細長い本体と、
前記細長い本体の前記遠位端に配置された膨張可能な先端と、
第１の切断部と第２の切断部とを有する切断ユニットであって、前記第１の切断部と前記第２の切断部は、前記第１の切断部と前記第２の切断部との間の血管を捕らえるように前記細長い本体の長手方向に移動可能であり、捕らえられた血管を切断するように前記先端の周囲を互いに回転可能である、切断ユニットと、を含む、手術装置。
（態様２）
前記膨張可能な先端は、１つ以上の内腔と連通する内部空洞を有し、手術装置によって行われる採取手術の内視鏡観察のために内視鏡が進められる、態様１に記載の装置。
（態様３）
前記膨張可能な先端は、十分に膨張したときに硬い円錐形状を有し、内視鏡による観察を妨げないように光学的に透明であり、切開部を通るときに円錐形状を維持するのに十分な材料を含む、態様１または２に記載の装置。
（態様４）
前記膨張可能な先端が膨張していないとき、前記膨張可能な先端の壁が、前記内視鏡の視野を歪ませることなく、前記内視鏡の上に緊張した襞が寄っている、態様３に記載の装置。
（態様５）
前記第１の切断部と前記第２の切断部は、前記先端の実質的に近位側の後退位置から前記先端上の延在位置まで移動する、態様３に記載の装置。
（態様６）
近位端と遠位端とを有する細長い本体と、
前記細長い本体の前記遠位端に配置された調整された先端と、
第１の切断部と第２の切断部とを有する切断ユニットであって、前記第１の切断部と前記第２の切断部は、前記第１の切断部と前記第２の切断部との間の血管を捕らえるように前記細長い本体の長手方向に移動可能であり、捕らえられた血管を切断するように前記先端の周囲を互いに回転可能である、切断ユニットと、を含む、手術装置。
（態様７）
前記調整された先端は、光学的透明性が向上した少なくとも１つの調整された表面をさらに含む、態様６に記載の装置。
（態様８）
前記調整された表面は、機械的研磨技術または化学的研磨技術によって調節される、態様６または７に記載の装置。
（態様９）
前記機械的研磨技術は、バフ研磨を含む、態様８に記載の装置。
（態様１０）
前記化学的研磨技術は、蒸気研磨を含む、態様８に記載の装置。
（態様１１）
前記第１の切断部と前記第２の切断部は、前記先端の実質的に近位側の後退位置から前記先端上の延在位置まで移動する、態様６に記載の装置。
（態様１２）
近位端と遠位端とを有する細長い本体と、
前記細長い本体の前記遠位端に配置された被覆された先端と、
第１の切断部と第２の切断部とを有する切断ユニットであって、前記第１の切断部と前記第２の切断部は、前記第１の切断部と前記第２の切断部との間の血管を捕らえるように前記細長い本体の長手方向に移動可能であり、捕らえられた血管を切断するように前記先端の周囲を互いに回転可能である、切断ユニットと、を含む、手術装置。
（態様１３）
前記被覆された先端は、前記被覆された先端の表面上にコーティングをさらに含み、前記コーティングは、前記被覆された先端の表面張力及び潤滑性を増加させる、態様１１に記載の装置。
（態様１４）
前記コーティングは、パラレン、ポリテトラフルオロエチレン、フッ素化エチレンプロピレン、ケイ素または繋留液体パーフルオロカーボンの１つから選択される、態様１２に記載の装置。
（態様１５）
前記被覆された先端は膨張可能な先端をさらに含み、前記膨張可能な先端は、１つ以上の内腔と連通する内部空洞を有し、手術装置によって行われる採取手術の内視鏡観察のために内視鏡が進められる、態様１２に記載の装置。
（態様１６）
前記被覆された先端は調整された先端をさらに含み、前記調整された先端は、光学的透明性が向上した少なくとも１つの調整された表面を含む、態様１２に記載の装置。
（態様１７）
近位端と遠位端とを有する細長い本体と、
前記細長い本体の前記遠位端に配置された膨張可能な先端であって、十分に膨張したときに円錐形状を有する膨張可能な先端と、
第１の切断部と第２の切断部とを有する切断ユニットであって、前記第１の切断部と前記第２の切断部は、前記第１の切断部と前記第２の切断部との間の血管を捕らえるように、前記先端の本質的に近位側の後退位置から前記先端上の延在位置まで前記細長い本体の長手方向に移動可能であり、捕らえられた血管を切断するように前記先端の周囲を互いに回転可能である、切断ユニットと、を含む、手術装置。
（態様１８）
前記膨張可能な先端は、１つ以上の内腔と連通する内部空洞を有し、手術装置によって行われる採取手術の内視鏡観察のために内視鏡が進められる、態様１７に記載の装置。
（態様１９）
前記膨張可能な先端は、十分に膨張したときに硬い円錐形状を有し、内視鏡による観察を妨げないように光学的に透明であり、切開部を通るときに円錐形状を維持するのに十分な材料を含む、態様１７または１８に記載の装置。
（態様２０）
前記膨張可能な先端が膨張していないとき、前記膨張可能な先端の壁が、前記内視鏡の視野を歪ませることなく、前記内視鏡の上に緊張した襞が寄っている、態様１９に記載の装置。